(57)【特許請求の範囲】
【請求項１】
３ＧＰＰネットワークのマシン型通信（ＭＴＣ）デバイスを自動的に提供する、前記３ＧＰＰネットワークにおけるユーザサブスクリプションを格納するホーム加入者サーバ（ＨＳＳ）によって実行される方法であって、
ルート識別子と、該ルート識別子と関連するＭＴＣ型デバイス若しくはアプリケーションを表す１つ以上の外部識別子とを含むサブスクリプション更新リクエスト、又は、１つ以上の前記外部識別子の作成をリクエストするサブスクリプション更新リクエストを、ＭＴＣサーバから受信するステップと、
前記ルート識別子と、前記ユーザサブスクリプションとの間の関連を示す格納情報に基づき、前記ルート識別子と関連するユーザサブスクリプションを識別するステップと、
前記サブスクリプション更新リクエストに含まれるか又は前記サブスクリプション更新リクエストから作成される前記１つ以上の外部識別子と、前記サブスクリプション更新リクエストに含まれる任意の関連する変更指示とに従って前記識別されるユーザサブスクリプションを提供するステップを含む、前記識別されたユーザサブスクリプションを更新するステップと、
前記ＭＴＣサーバへサブスクリプション更新確認を送信するステップと
を含むことを特徴とする方法。
【請求項２】
前記格納情報は、国際移動体加入者識別番号（ＩＭＳＩ）へ前記ルート識別子をリンク付け、
前記ルート識別子と関連する前記ユーザサブスクリプションを識別する前記ステップは、前記格納情報に従って、前記ＨＳＳが前記ルート識別子へリンク付けられる前記ＩＭＳＩを決定するステップを含むことを特徴とする請求項１に記載の方法。
【請求項３】
受信する前記ステップは、マシン型通信インターワーキング機能（ＭＴＣ−ＩＷＦ）を介して前記ＭＴＣサーバから前記サブスクリプション更新リクエストを受信するステップを含み、
送信する前記ステップは、前記ＭＴＣ−ＩＷＦを介して前記ＭＴＣサーバへ前記サブスクリプション更新確認を送信するステップを含むことを特徴とする請求項１又は２に記載の方法。
【請求項４】
前記サブスクリプション更新リクエストを受信する前記ステップの前に、前記ユーザサブスクリプションと前記ルート識別子との間の前記関連を識別するリンク情報を受信するステップと、前記ユーザサブスクリプションと前記ルート識別子との間の前記関連を示す前記格納情報として、前記ＨＳＳで前記リンク情報を格納するステップとをさらに含むことを特徴とする請求項１乃至３の何れか１項に記載の方法。
【請求項５】
前記ユーザサブスクリプションに関連するユーザ機器（ＵＥ）に関与する３ＧＰＰ接続手続きに基づき、前記リンク情報を受信するか、受信しない場合は決定するステップをさらに含むことを特徴とする請求項４に記載の方法。
【請求項６】
前記３ＧＰＰネットワークの他のデータベースサーバ、又は、前記３ＧＰＰネットワークに接続された他のデータベースサーバから、前記リンク情報を受信するステップをさらに含むことを特徴とする請求項４に記載の方法。
【請求項７】
前記ＨＳＳが１つ以上の外部識別子を生成した場合、前記サブスクリプション更新リクエストを前記ＭＴＣサーバへ送信する前記ステップは、前記ＨＳＳによって生成された、前記１つ以上の外部識別子を送信するステップを含むことを特徴とする請求項１乃至６の何れか１項に記載の方法。
【請求項８】
前記識別されたユーザサブスクリプションを更新する前記ステップは、前記１つ以上の外部識別子で前記識別されたユーザサブスクリプションを更新するステップを含むことを特徴とする請求項１乃至７の何れか１項に記載の方法。
【請求項９】
３ＧＰＰネットワークのマシン型通信（ＭＴＣ）デバイスを自動的に提供するように構成され、前記３ＧＰＰネットワークにおいて使用されるホーム加入者サーバ（ＨＳＳ）であって、
ＭＴＣサーバと通信するための通信インタフェースと、
前記通信インタフェースに動作可能に関連付けられた処理回路であって、
ルート識別子と、該ルート識別子と関連するＭＴＣ型デバイス若しくはアプリケーションを表す１つ以上の外部識別子とを含むサブスクリプション更新リクエスト、又は、１つ以上の前記外部識別子の作成をリクエストするサブスクリプション更新リクエストを、ＭＴＣサーバから受信し、
前記ルート識別子と、ユーザサブスクリプションとの間の関連を示す格納情報に基づき、前記ルート識別子と関連する前記ユーザサブスクリプションを識別し、
前記サブスクリプション更新リクエストに含まれるか又は前記サブスクリプション更新リクエストから作成される前記１つ以上の外部識別子と、前記サブスクリプション更新リクエストに含まれる任意の関連する変更指示とに従って前記識別されるユーザサブスクリプションを提供することに基づき、前記識別されたユーザサブスクリプションを更新し、
前記ＭＴＣサーバへサブスクリプション更新確認を送信する
ように構成される前記処理回路と
を備えることを特徴とするホーム加入者サーバ。
【請求項１０】
前記格納情報は、国際移動体加入者識別番号（ＩＭＳＩ）へ前記ルート識別子をリンク付け、
前記処理回路は、前記格納情報に従って、前記ルート識別子へリンク付けられる前記ＩＭＳＩを識別することによって、前記ルート識別子と関連する前記ユーザサブスクリプションを識別するように構成されることを特徴とする請求項９に記載のホーム加入者サーバ。
【請求項１１】
前記処理回路は、
マシン型通信インターワーキング機能（ＭＴＣ−ＩＷＦ）を介して前記ＭＴＣサーバから前記サブスクリプション更新リクエストを受信し、
前記ＭＴＣ−ＩＷＦを介して前記ＭＴＣサーバへ前記サブスクリプション更新確認を送信するように構成されることを特徴とする請求項９又は１０に記載のホーム加入者サーバ。
【請求項１２】
前記処理回路は、
前記サブスクリプション更新リクエストを受信する前に、前記ユーザサブスクリプションと前記ルート識別子との間の前記関連を識別するリンク情報を受信し、前記ユーザサブスクリプションと前記ルート識別子との間の前記関連を示す前記格納情報として、前記ＨＳＳに前記リンク情報を格納するように構成されることを特徴とする請求項９乃至１１の何れか１項に記載のホーム加入者サーバ。
【請求項１３】
前記処理回路は、
前記ユーザサブスクリプションに関連するユーザ機器（ＵＥ）に関与する３ＧＰＰ接続手続きに基づき、前記リンク情報を受信するか、受信しない場合は決定するように構成されることを特徴とする請求項１２に記載のホーム加入者サーバ。
【請求項１４】
前記処理回路は、
前記３ＧＰＰネットワークの他のデータベースサーバ、又は、前記３ＧＰＰネットワークに接続された他のデータベースサーバから、前記リンク情報を受信するように構成されることを特徴とする請求項１２に記載のホーム加入者サーバ。
【請求項１５】
前記処理回路は、
前記処理回路が１つ以上の外部識別子を生成した場合、前記ＭＴＣへ送信される前記サブスクリプション更新リクエストに前記１つ以上の外部識別子を含ませるように構成されることを特徴とする請求項９乃至１４の何れか１項に記載のホーム加入者サーバ。
【請求項１６】
前記処理回路は、
前記１つ以上の外部識別子で前記識別されたユーザサブスクリプションを更新することによって、前記識別されたユーザサブスクリプションを更新するように構成されることを特徴とする請求項１０乃至１５の何れか１項に記載のホーム加入者サーバ。
【請求項１７】
３ＧＰＰネットワークのマシン型通信（ＭＴＣ）デバイスを自動的に提供する、前記３ＧＰＰネットワークにおけるユーザサブスクリプションを格納するホーム加入者サーバ（ＨＳＳ）によって実行される方法であって、
ユーザ機器（ＵＥ）からＭＴＣサービスサブスクリプション起動リクエストを受信するステップと、
前記ＨＳＳに格納されるか又は前記ＨＳＳにアクセス可能なルート識別子であって、前記ＭＴＣサービスサブスクリプション起動リクエストにおいて前記ルート識別子を受信するか、又は、前記ＵＥに対応する前記３ＧＰＰネットワークにおけるユーザサブスクリプションに予め格納される前記ルート識別子にアクセスするかの何れかによって、前記ＵＥに対する前記ルート識別子を決定するステップと、
ＭＴＣサービスサブスクリプションを起動するように構成されるＭＴＣブートストラッピングサーバへ前記ルート識別子を送信し、前記ＭＴＣブートストラッピングサーバからの応答として、前記ルート識別子に関連付けられるＭＴＣ型デバイス又はアプリケーションを表す１つ以上の外部識別子を含む起動応答を受信するステップと、
前記１つ以上の外部識別子で、前記ＵＥに関連付けられるユーザサブスクリプションを更新し、前記１つ以上の外部識別子を含む、対応する応答を前記ＵＥへ送信するステップと、
ＭＴＣサーバが前記１つ以上の外部識別子と前記ＵＥの前記ルート識別子を関連付けられるように、前記ルート識別子及び前記１つ以上の外部識別子を示す更新通知を前記ＭＴＣサーバへ送信するステップと
を含むことを特徴とする方法。
【請求項１８】
前記ルート識別子は、前記３ＧＰＰの接続手続きの一部として、前記ＵＥによって前記ＨＳＳへ提供されることを特徴とする請求項１７に記載の方法。
【請求項１９】
前記ユーザサブスクリプションは、前記ルート識別子を含み、前記ＨＳＳは、前記ユーザサブスクリプションへのアクセスに基づき、前記ルート識別子を取得することを特徴とする請求項１７に記載の方法。
【請求項２０】
３ＧＰＰネットワークにおいて使用され、該３ＧＰＰネットワークのマシン型通信（ＭＴＣ）デバイスを自動的に提供するように構成されるホーム加入者サーバ（ＨＳＳ）であって、
ＭＴＣサービスブートストラッピングサーバと直接的に又は間接的に通信するように構成される通信インタフェースと、
前記通信インタフェースに動作可能に関連付けられた処理回路であって、
ユーザ機器（ＵＥ）からＭＴＣサービスサブスクリプション起動リクエストを受信し、
前記ＨＳＳに格納されるか又は前記ＨＳＳにアクセス可能なルート識別子であって、前記ＭＴＣサービスサブスクリプション起動リクエストにおいて前記ルート識別子を受信するか、又は、前記ＵＥに対応する前記３ＧＰＰネットワークにおけるユーザサブスクリプションに予め格納される前記ルート識別子にアクセスするかの何れかによって、前記ＵＥに対する前記ルート識別子を決定し、
ＭＴＣサービスサブスクリプションを起動するように構成されるＭＴＣブートストラッピングサーバへ前記ルート識別子を送信し、前記ＭＴＣブートストラッピングサーバからの応答として、前記ルート識別子に関連付けられるＭＴＣ型デバイス又はアプリケーションを表す１つ以上の外部識別子を含む起動応答を受信し、
前記１つ以上の外部識別子で、前記ＵＥに関連付けられるユーザサブスクリプションを更新し、前記１つ以上の外部識別子を含む、対応する応答を前記ＵＥへ送信し、
ＭＴＣサーバが前記１つ以上の外部識別子と前記ＵＥの前記ルート識別子を関連付けられるように、前記ルート識別子及び前記１つ以上の外部識別子を示す更新通知を前記ＭＴＣサーバへ送信する
ように構成される前記処理回路と
を備えることを特徴とするホーム加入者サーバ。
【請求項２１】
前記ルート識別子は、前記３ＧＰＰの接続手続きの一部として、前記ＵＥによって前記ＨＳＳへ提供されることを特徴とする請求項２０に記載のホーム加入者サーバ。
【請求項２２】
前記ユーザサブスクリプションは、前記ルート識別子を含み、前記処理回路は、前記ユーザサブスクリプションへのアクセスに基づき、前記ルート識別子を取得するように構成されることを特徴とする請求項２０に記載のホーム加入者サーバ。
【請求項２３】
３ＧＰＰネットワークのマシン型通信（ＭＴＣ）デバイスを自動的に提供する、前記３ＧＰＰネットワークに通信可能に接続されるＭＴＣサーバによって実行される方法であって、
３ＧＰＰネットワークを通じて前記ＭＴＣサーバと通信するユーザ機器（ＵＥ）から、該ＵＥに関連するルート識別子を含むＭＴＣサービスサブスクリプション起動リクエストを受信するステップと、
それぞれが前記ルート識別子に関連付けられるＭＴＣ型デバイス又はＭＴＣアプリケーションを表し、ＭＴＣサービスブートストラッピングサーバ、３ＧＰＰホーム加入者サーバ（ＨＳＳ）、他の外部識別子サーバからリクエストされる外部識別子であって、前記サブスクリプション起動リクエストの検証に応じて前記ＵＥに対する１つ以上の前記外部識別子を取得するステップと、
前記ルート識別子と前記１つ以上の外部識別子との間の前記関連を示す情報を格納するステップと、
起動リクエスト応答において前記１つ以上の外部識別子を前記ＵＥへ戻すステップと、
前記３ＧＰＰネットワークにおいて前記ＵＥと関連付けられるユーザサブスクリプションが前記１つ以上の外部識別子で更新されることを要求する、前記１つ以上の外部識別子を含むユーザサブスクリプション更新リクエストを、前記３ＧＰＰネットワークのホーム加入者サーバ（ＨＳＳ）へを送信するステップと、
前記ＨＳＳによって前記関連するユーザサブスクリプションの更新が成功すると、該ＨＳＳから確認を受信するステップと
を含むことを特徴とする方法。
【請求項２４】
前記１つ以上の外部識別子を取得する前記ステップは、前記ＭＴＣサービスサブスクリプション起動リクエストの有効化に応じて、前記１つ以上の外部識別子を生成するＭＴＣブートストラッピングサーバと通信するステップを含むことを特徴とする請求項２３に記載の方法。
【請求項２５】
３ＧＰＰネットワークにのマシン型通信（ＭＴＣ）デバイスを自動的な提供をサポートするように構成されるＭＴＣサーバであって、
前記ＭＴＣ型デバイスを含むか、含まない場合は該ＭＴＣ型デバイスを前記３ＧＰＰネットワークへ接続するＵＥと、ＭＴＣサービスサブスクリプション起動を提供するように構成されるＭＴＣサービスブートストラッピングサーバと、前記３ＧＰＰのホーム加入者サーバ（ＨＳＳ）と、の少なくとも１つと直接的に又は間接的にシグナリングを交換するように構成される通信インタフェースと、
前記通信インタフェースに動作可能に関連付けられた処理回路であって、
３ＧＰＰネットワークを通じて前記ＭＴＣサーバと通信するユーザ機器（ＵＥ）から、該ＵＥに関連するルート識別子を含むＭＴＣサービスサブスクリプション起動リクエストを受信し、
それぞれが前記ルート識別子に関連付けられるＭＴＣ型デバイス又はＭＴＣアプリケーションを表し、ＭＴＣサービスブートストラッピングサーバ、３ＧＰＰホーム加入者サーバ（ＨＳＳ）、他の外部識別子サーバからリクエストされる外部識別子であって、前記サブスクリプション起動リクエストの検証に応じて前記ＵＥに対する１つ以上の前記外部識別子を取得し、
前記ルート識別子と前記１つ以上の外部識別子との間の前記関連を示す情報を格納し、
起動リクエスト応答において前記１つ以上の外部識別子を前記ＵＥへ戻し、
前記３ＧＰＰネットワークにおいて前記ＵＥと関連付けられるユーザサブスクリプションが前記１つ以上の外部識別子で更新されることを要求する、前記１つ以上の外部識別子を含むユーザサブスクリプション更新リクエストを、前記３ＧＰＰネットワークのホーム加入者サーバ（ＨＳＳ）へを送信し、
前記ＨＳＳによって前記関連するユーザサブスクリプションの更新が成功すると、該ＨＳＳから確認を受信する
ように構成される前記処理回路と
を備えることを特徴とするＭＴＣサーバ。
【請求項２６】
前記処理回路は、
前記ＭＴＣサービスサブスクリプション起動リクエストの有効化に応じて、前記１つ以上の外部識別子を生成するＭＴＣブートストラッピングサーバと通信することによって、前記１つ以上の外部識別子を取得するように構成されることを特徴とする請求項２５に記載のＭＴＣサーバ。
【請求項２７】
３ＧＰＰネットワークのマシン型通信（ＭＴＣ）デバイスを自動的に提供する、前記３ＧＰＰネットワークに含まれる、又は、前記３ＧＰＰネットワークに通信可能に接続されるＭＴＣブートストラッピングサーバによって実行される方法であって、
前記３ＧＰＰネットワークのホーム加入者サーバ（ＨＳＳ）から、ユーザ機器（ＵＥ）に対する、前記ＵＥに関連するルート識別子を含むＭＴＣサービスサブスクリプション起動リクエストを受信するステップと、
それぞれが前記ルート識別子に関連付けられるＭＴＣ型デバイス又はＭＴＣアプリケーションを表し、前記サブスクリプション起動リクエストを有効化に応じて前記ＵＥにおける１つ以上の外部識別子を生成するか、又は、前記ＨＳＳ又は他の外部識別子サーバから、前記ＵＥに対する１つ以上の外部識別子を取得するステップと、
前記ＨＳＳによって前記ＵＥへ転送するための、該ＨＳＳへ送信される起動リクエスト応答において前記１つ以上の外部識別子を戻すステップと、
ＭＴＣサーバが前記ルート識別子を前記１つ以上の外部識別子に関連付けられることを可能とするように、前記ルート識別子と前記１つ以上の外部識別子とを含む外部識別子更新通知を、前記３ＧＰＰネットワークの外部に位置する前記ＭＴＣサーバへ送信するステップと
を含むことを特徴とする方法。
【請求項２８】
３ＧＰＰネットワークにのマシン型通信（ＭＴＣ）デバイスを自動的な提供をサポートするように構成されるＭＴＣサーバであって、
前記ＭＴＣ型デバイス対して構成されるか、構成されない場合は変更される１つ以上のＭＴＣサービスと関連付けられるＭＴＣサーバと、前記ＭＴＣ型デバイスと関連付けられる前記３ＧＰＰネットワークのホーム加入者サーバ（ＨＳＳ）と、の少なくとも１つと直接的に又は間接的にシグナリングを交換するように構成される通信インタフェースと、
前記通信インタフェースに動作可能に関連付けられた処理回路であって、
前記３ＧＰＰネットワークのホーム加入者サーバ（ＨＳＳ）から、ユーザ機器（ＵＥ）に対する、前記ＵＥに関連するルート識別子を含むＭＴＣサービスサブスクリプション起動リクエストを受信し、
それぞれが前記ルート識別子に関連付けられるＭＴＣ型デバイス又はＭＴＣアプリケーションを表し、前記サブスクリプション起動リクエストを有効化に応じて前記ＵＥにおける１つ以上の外部識別子を生成するか、又は、前記ＨＳＳ又は他の外部識別子サーバから、前記ＵＥに対する１つ以上の外部識別子を取得し、
前記ＨＳＳによって前記ＵＥへ転送するための、該ＨＳＳへ送信される起動リクエスト応答において前記１つ以上の外部識別子を戻し、
前記ＭＴＣサーバが前記ルート識別子を前記１つ以上の外部識別子に関連付けられることを可能とするように、前記ルート識別子と前記１つ以上の外部識別子とを含む外部識別子更新通知を、前記３ＧＰＰネットワークの外部に位置するＭＴＣサーバへ送信する
ように構成される前記処理回路と
を備えることを特徴とするＭＴＣサーバ。
【請求項２９】
３ＧＰＰネットワークの無線通信ネットワークへ１つ以上のマシン型通信（ＭＴＣ）デバイスを含むか、又は、通信可能に接続するＵＥに対するＭＴＣサービスの自動的な提供をサポートする方法であって、
前記ＵＥにルート識別子を格納するステップと、
ＭＴＣサービスサブスクリプションリクエストをＭＴＣサーバ及びホーム加入者サーバ（ＨＳＳ）の少なくとも一方へ３ＧＰＰネットワークにおいて送信する前記ＵＥと協働してネットワーク接続手続きの一部が実行されるように前記ネットワークへ前記ルート識別子を送信する、少なくとも１つのシナリオにおいて前記ルート識別子を送信するステップと、
前記ＭＴＣサーバ又は前記ＨＳＳからのサブスクリプション起動又は更新の応答であって、前記ＵＥによって表されるＭＴＣ型デバイスに対応する１つ以上の外部識別子を含む前記応答を受信するステップと、
前記対応するＭＴＣ型デバイスに対するＭＴＣサービスの実行において使用される前記外部識別子を格納するステップと
を含むことを特徴とする方法。
【請求項３０】
ユーザ機器（ＵＥ）であって、
３ＧＰＰネットワークの無線通信ネットワークへ信号を送信するＲＦ送信機と、前記無線通信ネットワークから信号を受信するＲＦ受信機と含む無線通信送受信機と、
前記無線通信送受信機に動作可能に関連付けられた処理回路であって、
ＭＴＣサービスサブスクリプションリクエストをＭＴＣサーバ及びホーム加入者サーバ（ＨＳＳ）の少なくとも一方へ、３ＧＰＰネットワークにおいて送信する前記ＵＥと協働してネットワーク接続手続きの一部が実行されるように前記ネットワークへルート識別子を送信する、少なくとも１つのシナリオにおいて前記ルート識別子を送信し、    前記ＭＴＣサーバ又は前記ＨＳＳからのサブスクリプション起動又は更新の応答であって、前記ＵＥによって表されるＭＴＣ型デバイスに対応する１つ以上の外部識別子を含む前記応答を受信し、
前記対応するＭＴＣ型デバイスに対するＭＴＣサービスの実行において使用される前記外部識別子を格納する
ように構成される前記処理回路と
を備えることを特徴とするユーザ機器。
【請求項３１】
３ＧＰＰネットワークにいおけるホーム加入者サーバ（ＨＳＳ）の方法であって、
国際移動体加入者識別番号（ＩＭＳＩ）によって前記３ＧＰＰネットワークで定義されユーザ機器（ＵＥ）であって、前記３ＧＰＰネットワークへ接続する前記ＵＥを認証するために使用される前記３ＧＰＰネットワークのユーザサブスクリプションにルート識別子をリンク付けるステップと、
前記ルート識別子と、マシン型通信（ＭＴＣ）サーバによって使用される外部識別子であって、前記ＵＥを介して前記３ＧＰＰネットワークを通じて前記ＭＴＣサーバと通信するように構成されるＭＴＣ型デバイスを識別するために使用される前記外部識別子又は前記外部識別子の生成リクエストと、を含むメッセージを受信するステップと、
リンク付けられたユーザサブスクリプションを前記ルート識別子から識別するステップと、
前記外部識別子で前記ユーザサブスクリプションを提供する提供するステップと、
トリガ通信に含まれる前記外部識別子によって識別されるように、前記ＭＴＣ型デバイスに対する前記トリガ通信をその後に受信するステップと、
前記外部識別子からの前記ＵＥの前記ユーザサブスクリプションの決定に基づき、前記ＵＥの前記ＩＭＳＩを識別するステップと、
前記ＩＭＳＩを用いて前記ＵＥへトリガ通信を開始するステップと
を含むことを特徴とする方法。
【請求項３２】
前記ユーザサブスクリプションの提供される外部識別子に関連するＭＴＣサブスクリプションを変更又は停止するリクエストを受信するステップと、
前記リクエストに含まれる前記ルート識別子から前記ユーザサブスクリプションを識別するステップと、
前記リクエストに応じて前記ユーザサブスクリプションから前記提供される外部識別子を変更又は削除するステップと
をさらに含むことを特徴とする請求項３１に記載の方法。
【発明の詳細な説明】
【技術分野】
【０００１】
本発明は、一般に、無線通信ネットワークに関連し、特に、無線通信ネットワークと連結して動作するマシン型通信（ＭＴＣ）装置の提供に関連するものである。
【背景技術】
【０００２】
第３世代パートナーシップ・プロジェクト（３ＧＰＰ）技術仕様に基づく無線通信ネットワークでは、３ＧＰＰネットワークを通じてＭＴＣサーバ又は他のタイプの装置と通信を行うマシン型通信（ＭＴＣ）を、”マシン型デバイス”や、これと同等に”ＭＴＣ型デバイス”として参照している。３ＧＰＰユーザ機器（ＵＥ）を通じて通信可能に接続される複数のマシン型デバイスにおけるゲートウェイ又はルータとしてＵＥが動作することができ、及び／又は、論理的に異なるマシン型デバイスをそれぞれが表す複数のＭＴＣアプリケーション又はサービスをＵＥが実行することができる、という意味で、１つ以上のマシン型デバイスを１つの３ＧＰＰユーザ機器（ＵＥ）によって表すことができる。さらに、上記技術仕様書では、ＭＴＣサーバは”Ｓｅｒｖｉｃｅｓ  Ｃａｐａｂｉｌｉｔｙ  Ｓｅｒｖｅｒ”又は”ＳＣＳ”として把握されている。
【０００３】
３ＧＰＰは、現在、制御３ＧＰＰ技術仕様書のリリース１２のマシン型デバイスの強化を研究している。
【０００４】
マシン型デバイスは、その特徴として、低い移動性（全てではないがほとんどの場合）を有し、低頻度又は低データレート通信に従事することが予測され、潜在的に膨大な数のマシン型デバイスが、サポート３ＧＰＰネットワークを通じてＭＴＣサービス又は他のマシン型デバイスに接続される。従って、各マシン型デバイスが比較的少ない量の信号伝達を生む場合であっても、ＭＴＣサービスに関連するトラフィックはネットワークに非常に大きな負荷を与えてしまう。
【０００５】
３ＧＰＰネットワークコンテキスト内のＭＴＣをサポートする一形態として、３ＧＰＰリリース１１が”Ｅｘｔｅｒｎａｌ  Ｉｄｅｎｔｉｆｉｅｒ（外部識別子）”という新たな識別子を定義した。外部識別子は、３ＧＰＰ  ＴＳ２３．００３において特定される。関連する他の技術仕様書には、３ＧＰＰ  ＴＳ  ２３．４０１  ｖ１１．１．０、３ＧＰＰ  ＴＳ  ２３．８８８  ｖ１．６．１、  ３ＧＰＰ  ＴＳ  ２３．６８２  ｖ１１．０．０、３ＧＰＰ  ＴＳ  ２２．３６８  ｖ１１．４．０が含まれる。
【０００６】
１つの国際移動体加入者識別番号（ＩＭＳＩ）を有する３ＧＰＰ  ＵＥは、ユーザのホームネットワークに関連してホーム加入者サーバ（ＨＳＳ）内の”ユーザ・サブスクリプション”に関連付けられて格納された、グローバルレベルで固有の１つ以上の外部識別子を有してもよい。つまり、各外部識別子がＵＥと関連付けられたマシン型デバイスの特定の１つを識別するために使用されうることを意味している。しかしながら、外部識別子の使用がＭＴＣアプリケーションに制限されないことに注意されるべきである。
【０００７】
外部識別子の上記利用に関して、単一の３ＧＰＰ  ＵＥは、関連するマシン型デバイスの数に従って、１つ以上の外部識別子に関連付けられる。それらの識別子は、ＭＴＣサービスの目的に対してマシン型デバイスを識別するために使用されるという意味で、”マシン・ドメイン”内であることを意味している。しかしながら、３ＧＰＰネットワークに関する限り、関連する国際移動体加入者識別番号（ＩＭＳＩ）は、３ＧＰＰブートストラッピングのためにＵＥを識別する。ここで、”３ＧＰＰブートストラッピング”とは、３ＧＰＰネットワークに接続するＵＥの処理、例えば、接続及び関連する無線ベアラを確立するためのにＵＥを認証又は承認する処理を示す。
【０００８】
当業者には、３ＧＰＰ  ＵＥが、一般的にはユーザと称される、所有者又は他の認証ユーザに関連することや、通常、ユーザが特定の３ＧＰＰネットワークオペレータとのユーザサブスクリプションを確立しなければならないことが理解されるであろう。サブスクリプションと関連する３ＧＰＰネットワークは、ユーザの”ホームネットワーク”と呼ばれ、当該ネットワークは、ホームネットワークへの直接の接続又はＵＥによる訪問先ネットワークへの接続を試みるＵＥの３ＧＰＰブートストラッピングにおける、関連するＩＭＳＩを含むユーザサブスクリプションを安全に格納するホーム加入者サーバ（ＨＳＳ）又は同等のものを含むことになる。訪問先ネットワークは、承認、請求書等を、ホームネットワークへ戻す。
【０００９】
従って、３ＧＰＰ  ＵＥで実行するＭＴＣサービスに関して発行される２つのタイプのサブスクリプション、（１）３ＧＰＰネットワーク又は”ユーザ”サブスクリプション、（２）ＭＴＣサービスサブスクリプションがある。所定のＵＥに対して、その関連する３ＧＰＰネットワークサブスクリプションは、ＵＥが３ＧＰＰネットワークへ接続することを許可され、任意のＭＴＣサービスを含む通信サービスの無線ベアラを確立する前に起動され有効化されなければならない。しかしながら、ＵＥが１つ以上のマシン型デバイスををサポートする範囲で、ＭＴＣサービスでの挙動は、成功したアタッチメント（接続）や３ＧＰＰネットワークを通じたカップリングだけでなく、１つ以上の関連するＭＴＣサービスサブスクリプションの起動及び有効化の少なくとも１つを要求する。
【００１０】
現在、３ＧＰＰ  リリース１１において、ＵＥに関連付けられたマシン型デバイスを識別するために、ＭＴＣサービスプロバイダによって使用される外部識別子間の静的な関係を想定している。ＵＥと関連付けられたＩＭＳＩが対外的に提供されないため、ユーザのホーム３ＧＰＰネットワークにおけるホーム加入者サーバ（ＨＳＳ）又は同等のエンティティが関連づけられるユーザサブスクリプションの外部識別子をＩＭＳＩとともに格納するということが予測される。しかしながら、ＭＴＣサブスクリプション及びＭＴＣ機能の起動及び停止の少なくとも一方に対して使用される仕組みは３ＧＰＰの範囲外である。
【００１１】
従って、そのようなアプローチは、３ＧＰＰネットワークオペレータやＭＴＣサービスプロバイダの観点から重大な責任が強要されるものである。１つの問題のある態様は、３ＧＰＰネットワークオペレータが、ネットワークの整合性及び詐欺防止の問題として、当然のごとくＩＭＳＩを保護し、通常、ＭＴＣサービスプロバイダを含む外部のサービスプロバイダに利用可能なＩＭＳＩを作成しないことである。従って、ＭＴＣサーバは、通常、ＭＴＣサービスに関与するＵＥを識別する手段としてＩＭＳＩにアクセスすることなく、さらに、３ＧＰＰネットワーク内のＨＳＳは、そのような関連のマニュアルでのプロビジョニング（提供）を潜在的に負わせない限り、外部識別子を特定のＩＭＳＩに関連付けるための任意の仕組みを有することもない。
【００１２】
そのようなプロビジョニングは、外部識別子と関連付けられた複数のマシン型デバイスを１つのＵＥが有し、個々のＵＥに対する多くの外部識別子が存在しうるため、非常に重い負荷となりうる。さらに複雑なことに、外部識別子は、ＭＴＣサービスの変更を反映して、所定のＵＥに対して追加、変更又は削除されうる。さらに、ＵＥが関連するＩＭＳＩによって識別される、３ＧＰＰネットワークへ接続する場合、ＵＥは、外部識別子に関連付けられたＭＴＣサービスの全てを起動することを望むかもしれないし、そうでないかもしれない。
【００１３】
例えば、車両に搭載されるＵＥは、加入者識別モジュール（ＳＩＭ）又はソフトウェアベースのユニバーサルＳＩＭに格納されるなど、３ＧＰＰブートストラッピングに対して、外部識別子に関連する１つのＩＭＳＩを有する。しかし、この１つのＵＥは外部識別子に関連する複数のマシン型デバイスを有してもよい。これらのマシン型デバイスは、それぞれが多くのサービス、例えば、ローカルツーリスト情報、車両ソフトウェアの更新、車両メンテナンスのオンラインチェック、車両緊急サービス通知、ｗｅｂミュージック・プッシュサービスなどのサービスを提供する。旅行の初期の段階で、全てのサービスが起動される必要はない。一方で、旅行先に着くと、ローカルツーリスト情報が必要となり、少なくとも、対応するサービスの起動を要求することが強く望まれる。さらに、この考え方に沿って、車両が駐車されたときには、１つ、２つの特別なサービスを除いて全てのサービスを停止することが望まれるであろう。一例として、車両のソフトウェア更新や車両のメンテナンスサービス（テレマティックス）は車両が駐車している間に起動されうる。
【００１４】
もちろん、ＵＥは、それぞれのサービスに対して、ＭＴＣ登録手続きを実行してもよく、対応するＭＴＣサーバは登録されたサービスに対してのみＵＥへのアクセスを試みるべきである。しかしながら、このような登録は、ＵＥ側から常にサービスが起動されることを意味するものではない。さらに、いくつかのサービスは任意の登録手続きを有していなくともよい。
【００１５】
図１は、マシン・ツー・マシン（Ｍ２Ｍ）サービスとも称されるＭＴＣサービスをサポートするための３ＧＰＰアーキテクチャを示す。従って、特に言及しない限り、用語”Ｍ２Ｍ”及び”ＭＴＣ”は本明細書では交換可能に使用されうる。
【００１６】
訪問先の公衆陸上移動網（ＶＰＬＭＮ）１０及びホーム公衆陸上移動網（ＨＰＬＭＮ）１２が示され、本実施形態において、所定のＵＥ１４は、ＶＰＬＭＮ１０に接続し、ＶＰＬＭＮ１０は認証等に対してＨＰＬＭＮ１２と通信を行う。ＵＥ１４は、１つ以上のマシン型デバイス１６を含むか、含まない場合は関連付けられ、それらの装置は、限定しない例示において、ＵＥ１４上で動作するＭ２Ｍアプリケーションであってもよい。本開示において、マシン型デバイス１６はまた、ＭＴＣ装置及びＭ２Ｍ装置の少なくとも一方として参照され、特に断りのない限り、そのような全ての用語が３ＧＰＰ、又は他のそうような無線通信ネットワーク、例えば、図に示されるＶＰＬＭＮ１０及びＨＰＬＭＮ１２を通じたアクセスの確立に基づき、マシンドメインにおいて１つ以上のエンティティを有するＭＴＣに関与する装置を暗示することを、読者は想定してもよい。
【００１７】
ＶＰＬＭＮ１０は、１つ以上の以下のエンティティ：移動交換センター（ＭＳＣ）２２、移動管理エンティティ（ＭＭＥ）２４、在圏ＧＰＲＳサポートノード（ＳＧＳＮ）２６、及び在圏ゲートウェイ（Ｓ−ＧＷ）２８を有する無線アクセスネットワーク（ＲＡＮ）２０を含む。ここで、特定の構成及びＶＰＬＭＮ１０で示されるエンティティの命名規則は、ネットワークの特定の仕様、例えば、３ＧＰＰリリース８，９，１０，１１等に依存する。
【００１８】
ＨＰＬＭＮ１２に対しても同様であり、当該例示の図において：ゲートウェイＧＰＲＳサポートノード／パケットゲートウェイ（ＧＧＳＮ／Ｐ−ＧＷ）３０、ＨＳＳ３２、マシン型通信インターワーキング機能（ＭＴＣ−ＩＷＦ）３４、課金データ機能／課金ゲートウェイ機能（ＣＤＦ／ＣＧＦ）３６、及び、ＩＰショートメッセージゲートウェイ（ＩＰ−ＳＭ−ＧＷ）４０及びショートメッセージエンティティ（ＳＭＥ）４２と関連するショートメッセージサービス・サービスセンター／ゲートウェイ移動交換センター／インターワーキング移動交換センター（ＳＭＳ−ＳＣ／ＧＭＳＣ／ＩＷＭＳＣ）３８を含む。
【００１９】
上記エンティティは、無線通信ネットワークの操作者のドメイン、即ち、ネットワークドメイン内にあるか、又は当該ドメインに関連するとみなされてよい。例示の図において、マシンドメインは、ＭＴＣサーバ又はＭ２Ｍサーバとも称されるサービス機能サーバ（ＳＣＳ）５０を含む。さらに、図示したＵＥ１４のマシン型デバイス１６（一般に、ＵＥ１４の大多数によってホストされるか、又は、関連するマシン型デバイスの基本的な任意の数）を使用することを意図するか、そうでない場合は当該マシン型デバイス１６とやり取りを行う１つ以上のＭ２Ｍアプリケーションを、１つ以上のＭ２Ｍアプリケーションサーバ（ＡＳ）５２がホストするか、ホストしない場合は提供することが理解されるであろう。
【００２０】
図示するように、ネットワークドメインにおいて、ＡＳ５２−１がＭＴＣサーバ５０に結合され、他のＡＳ５２−２がＧＧＳＮ／Ｐ−ＧＷ３０に結合される。前者の結合は、図中において、丸で囲んだ１で示す”間接的モデル”の例示を表し、一方、後者の結合は、図中において、丸で囲まれた２で示す”直接的モデル”の例示を表す。それらのモデルの組み合わせは、”ハイブリッドモデル”と称される。
【００２１】
図に示すように、インタフェースＴｓｐが、ＳＣＳ５０とＭＴＣ−ＩＷＦ３４との間に位置する。Ｔｓｐインタフェースは、トリガー機能のみ、例えば、マシンドメインが３ＧＰＰネットワーク１０、１２を通じてＭＴＣ装置１６との通信をトリガとすることのみに対して定義される。当該トリガ機能は、対象となるＭＴＣ装置１６に対する外部識別子がＨＳＳ３２において対応ＵＥサブスクリプションで既に設定されるという想定に基づく。トリガが必要とされる場合、ＳＣＳ５０は、デバイス１６の外部識別子を含むトリガメッセージをＭＴＣ−ＩＷＦ３４に送信する。ＭＴＣ−ＩＷＦ３４は、Ｓ６ｍインタフェースを介してＨＳＳ３２に質問することに基づき、受信した外部識別子をを対応するＵＥのＩＭＳＩに変換する。その後、ＭＴＣ−ＩＷＦ３４は、Ｔ４／Ｔ５インタフェースを介してＩＭＳＩとトリガメッセージを送信する。
【発明の概要】
【００２２】
一形態において、本開示は、既存の３ＧＰＰ  Ｍ２Ｍアーキテクチャを用いて、外部識別子が３ＧＰＰオペレータ又はＭＴＣサービスプロバイダによって動的に提供されるべく、適切に構成される３ＧＰＰコアネットワーク（ＣＮ）によって提供される手続について提案する。従って、それらの開示は、関与するエンティティ間、例えば、３ＧＰＰ  ＨＳＳと、ＭＴＣサブスクリプションの起動、変更、削除等を提供するＭＴＣサーバ（サービス機能サーバ又はＳＣＳ）及び／又はＭＴＣブートストラッピングサーバとの間のプロトコルベースの信号伝達を用いて、ＭＴＣサービスサブスクリプション又はサービスの自動的な起動、変更、停止等を提供することが理解されるであろう。
【００２３】
当該利点に関して、自動的なプロビジョニング（提供）は、ＩＭＳＩのセキュリティを維持する一方で、任意の数の外部識別子で個々の３ＧＰＰネットワークサブスクリプション（ユーザサブスクリプション）を提供する潜在的な負荷を自動化することにより、ＵＥへのＭＴＣサービスをサポートしたりＵＥからのＭＴＣサービスをサポートするために、対応するＵＥ／ＩＭＳＩとそれらの外部識別子をリンク付けることの二重の課題を解決する。新たに定義される”ルート識別子”の使用は、本開示の特定の形態である。
【００２４】
ここで説明する方法及び装置に基づき、ルート識別子は、３ＧＰＰネットワークと（単複の）ＭＴＣサービスプロバイダエンティティの両方に対して、知られているか或いは知られるであろう。従って、任意の数のマシン型デバイスに対する外部識別子は、ＭＴＣサービスドメインにおいて起動され、停止され、変更されるかそうでない場合は更新され、その後、関連するルート識別子に関連して３ＧＰＰネットワーク（例えば、関与するＨＳＳ）へ信号伝達される。従って、既知のルート識別子及び関連するＩＭＳＩに関与するＨＳＳは、正確なＩＭＳＩ／ユーザサブスクリプションを識別するために受信したルート識別子を使用して、外部識別子を格納するか、正確なユーザサブスクリプションへ変更するかの少なくとも一方を行う。
【００２５】
このような動作は、ＵＥ互換の関与するＭ２ＭのＩＭＳＩを知る３ＧＰＰネットワークドメインのエンティティと、ＵＥ互換のＭ２ＭのＩＭＳＩを知らないＭＴＣサービスドメインのエンティティとの間でのプロトコルベースの信号伝達を用いた”自動的な”プロビジョニングの形式で理解されるであろう。利点としては、上述したルート識別子のそれら共通の知識に基づいて、３ＧＰＰネットワークエンティティが外部識別子をＨＳＳの適当なユーザサブスクリプションへリンク付けることである。
【００２６】
この点で、ルート識別子が、３ＧＰＰネットワークドメインと、ＭＴＣサービスドメイン（マシンドメイン）との両方において知られ、特定のＵＥに対して共通の識別子として提供されるものとして理解されるであろう。従って、ルート識別子は、３ＧＰＰネットワーク及びマシンドメインが、それらのＵＥに対して共通して知られているルート識別子への関与した信号伝達を参照することによって個々のＵＥに対する外部識別子を協働して提供し、さもなければ管理することを許容する。そのような信号伝達における有利な手続きについてさらに以下で説明する。
【００２７】
もちろん、本発明は、上記特徴及び効果には限定されない。実際には、当業者は、以下の詳細な実施形態、及び添付の図面を参照することにより追加の特徴及び効果を得ることができることを理解するであろう。
【図面の簡単な説明】
【００２８】
【図１】ＭＴＣサービス又はＭ２Ｍサービスをサポートするための３ＧＰＰ仕様に従った既知のネットワークアーキテクチャのブロック図である。
【図２】一実施形態に係るサブスクリプションの起動方法を示すシーケンス図である。
【図３】一実施形態に係るサブスクリプションの停止方法を示すシーケンス図である。
【図４】一実施形態に係るサブスクリプションの変更方法を示すシーケンス図である。
【図５】他の実施形態に係るサブスクリプションの起動方法を示すシーケンス図である。
【図６】他の実施形態に係るサブスクリプションの停止方法を示すシーケンス図である。
【図７】他の実施形態に係るサブスクリプションの変更方法を示すシーケンス図である。
【図８】一実施形態に係るＵＥを示すブロック図である。
【図９】一実施形態に係るＨＳＳを示すブロック図である。
【図１０】一実施形態に係るＭＴＣサーバを示すブロック図である。
【発明を実施するための形態】
【００２９】
本開示の一形態に従って、”ルート識別子（Root Identifier）”はＭ２Ｍ対応ＵＥに対して特定される。以降では、単に”ＵＥ”と記述すると、特に断りのない限り、Ｍ２Ｍ対応ＵＥであることを意味するものとする。そのようなＵＥは、本開示に関連する”マシン型デバイス（machine type device）”の一例として理解されるべきである。当該用語及び用語”ＵＥ”は、無線ネットワーク、例えば、３ＧＰＰネットワークを介してＭＴＣに対して構成される任意の無線デバイス又は無線装置を基本的に含むように、所定の一般的な構成で与えられるべきである。
【００３０】
ルート識別子は、ＵＥ又は関連する３ＧＰＰネットワークサブスクリプションに格納される外部識別子の形式で一般的な識別子であってもよく、”ユーザサブスクリプション”とも称され、３ＧＰＰネットワークへ接続するためのＵＥ又は他の無線デバイスを認証又は承認する３ＧＰＰネットワークによって維持されるか、そうでない場合は使用されるサブスクリプションとして理解されるであろう。ルート識別子は、３ＧＰＰサブスクリプションへ割り当てられる外部識別子のグループを識別するために、３ＧＰＰネットワークにおいてＨＳＳによって使用される。また、ルート識別子は、ＭＴＣ型デバイスに対応するか又は表すＭＴＣ識別子のグループを識別するために、ＳＣＳとも称されるＭＴＣサーバによって使用され、Ｔｓｐベースの外部識別子の提供手続において使用される。
【００３１】
一実施形態において、ルート識別子は、ＵＥにおいて提供され、ＵＥは３ＧＰＰブートストラッピングの一部で（即ち、ＵＥによる３ＧＰＰネットワークへの接続中に）３ＧＰＰネットワークへルート識別子を転送するか、そうでない場合は提示するように構成される。
【００３２】
従って、ＨＳＳは、ルート識別子を接続ＵＥから受信するか、或いは、ＨＳＳが前もって例えは接続前に提供されたルート識別子を知っているかのいずれかである。いずれかのケースにおいて、ＨＳＳは、ＨＳＳに格納された対応するユーザサブスクリプション又はＵＥがＨＳＳにアクセス可能な対応するユーザサブスクリプションにおいて、ＵＥのルート識別子を格納するかそうでない場合は維持する。そのため、ＨＳＳは、ＵＥのルート識別子をＵＥのＩＭＳＩと一意的に関連付ける所定のＵＥにおけるユーザサブスクリプションを使用する。
【００３３】
同一のルート識別子は、関与するＭＴＣエンティティ、例えば、ＭＴＣサービスサブスクリプション及び１つ以上のＭＴＣサービスをサポートするＭＴＣサーバの少なくとも１つを起動するＭＴＣブートストラッピングサーバによって提供されるか、又は知られる。本実施形態において、所定のマシン型デバイスに対して生成又は変更される外部識別子は、ＩＭＳＩ（一般的には、３ＧＰＰネットワーク以外では利用可能でない）の使用を介することなくというより、むしろ外部識別子とＩＭＳＩとの間の既知の関連を介してＨＳＳでＵＥへ固有に紐付けられる当該ＵＥのルート識別子の使用を介して、特定のＵＥへ固有にリンク付されうる。
【００３４】
従って、少なくともいくつかの実施形態においてルート識別子は、少なくとも２つの場所（ＵＥのルート識別子の任意に提供されるストレージはカウントしない）に格納され、即ち、（１）所定のＵＥに対するルート識別子は、ルート識別子をユーザサブスクリプションに格納されるＩＭＳＩと固有に関連付けるそのようなストレージである、３ＧＰＰ又は３ＧＰＰネットワークをサポートするＨＳＳによって維持されるユーザサブスクリプションに格納されるか、（２）ルート識別子は、Ｍ２Ｍドメイン、例えば、ＵＥに関連するマシン型デバイスにおけるＭＴＣサービスサブスクリプションに格納される。当該ストレージは、ルート識別子を、ＵＥに関連するマシン型デバイスに対応する外部識別子に固有に関連付ける。
【００３５】
ＭＴＣサービスサブスクリプション（Ｍ２Ｍサブスクリプションとも称する）におけるルート識別子を格納することは、ＭＴＣサービスプロバイダが対応する３ＧＰＰサブスクリプションにおいて新たな外部識別子を自動的に提供し、３ＧＰＰサブスクリプションにおいて既存の外部識別子を変更し、そうでない場合は、３ＧＰＰの記述で格納される外部識別子を削除又は更新する。そのような全ての変更は、プロトコルベースのシグナリングを用いて自動的に行われる。
【００３６】
ＨＳＳ又はＳＣＳは、新たなルート識別子又は既存のルート識別子を更新したものの何れかを報知するために、以下で説明するルート識別子の更新手続きを使用してもよい。
【００３７】
本実施形態で説明する１つの手続きは、ＨＳＳに格納されるＵＥサブスクリプションを変更するためにＳＣＳによって使用される、”ＳＣＳトリガ外部識別子プロビジョニング手続”である。例示の実施形態において、当該手続は、１つ以上のマシン型デバイスと関連付けられた所定のＵＥにおける以下のステップを含む。
【００３８】
ステップ１：ＨＳＳにおいて、ＵＥサブスクリプションに格納される外部識別子に対して更新が要求されると、ＳＣＳは、外部識別子プロビジョニングリクエストメッセージ（an External Identifier Provision Request message）を、Ｔｓｐインタフェースを介してＭＴＣ−ＩＷＦへ送信する。当該リクエストメッセージは、ＵＥと関連するルート識別子と、追加、削除、又は更新される外部識別子とを含む。
【００３９】
ステップ２：ＭＴＣ−ＩＷＦが受信したリクエストメッセージをＳ６ｍインタフェースを介してＨＳＳへ転送する。
【００４０】
ステップ３：ＨＳＳはルート識別子を使用してＵＥサブスクリプションを決定し、受信した外部識別子プロビジョニングリクエストメッセージに基づきサブスクリプションを更新する。
【００４１】
ステップ４：ＨＳＳは、リクエストの受領又は拒絶を確認するために、外部識別子プロビジョニング応答メッセージで、ＭＴＣ−ＩＷＦを介してＳＣＳに応答する。
【００４２】
類似の実施形態において上記手続の代替例を提供し、上記変更リクエストの変更形式をＨＳＳに送信するステップを含む。本代替例のサブスクリプション変更手続きの例示のステップを以下に示す。
【００４３】
ステップ１：ＨＳＳにおいて、ＵＥサブスクリプションに格納される外部識別子に対して更新が要求されると、ＳＣＳは、外部識別子プロビジョニングリクエストメッセージ（an External Identifier Provision Request message）を、Ｔｓｐインタフェースを介してＭＴＣ−ＩＷＦへ送信する。当該リクエストメッセージは、ルート識別子と、ルート識別子に関連するＵＥのＵＥサブスクリプションにおける外部識別子を追加／削除／更新するリクエストとを含む
ステップ２：ＭＴＣ−ＩＷＦが受信したリクエストメッセージをＳ６ｍインタフェースを介してＨＳＳへ転送する
ステップ３：ＨＳＳはルート識別子を使用してＵＥサブスクリプションを決定し、受信した外部識別子プロビジョニングリクエストメッセージに基づきサブスクリプションを更新する
ステップ４：ＨＳＳは、リクエストの受領又は拒絶を確認するために、外部識別子プロビジョニング応答メッセージで、ＭＴＣ−ＩＷＦを介してＳＣＳに応答する。当該リクエストが新たな外部識別子を作成するものであった場合は、作成した外部識別子はＡｃｋメッセージに含まれ、ＳＣＳへ送信される。
【００４４】
本実施形態で説明する他の手続は、無線ネットワークドメインの外部識別子の、プロトコルベースでの自動的な提供及び管理を実行する”外部識別子プロビジョニング通知手続”である。当該手続は、ＵＥサブスクリプションの更新をＳＣＳに知らせるためにＨＳＳによって使用され、例えば、ＨＳＳにおいて、対応するＵＥサブスクリプションと関連する所定のＵＥに対する以下のステップを含む。
【００４５】
ステップ１：ＨＳＳにおいて、ＵＥサブスクリプションに格納される外部識別子の更新があれば、ＨＳＳは、外部識別子プロビジョニング通知メッセージ（an External Identifier Provision Notification message）を、Ｓ６ｍインタフェースを介してＭＴＣ−ＩＷＦへ送信する。当該通知メッセージは、ルート識別子と、ＵＥサブスクリプションにおいて追加、削除、更新される外部識別子とを含む
ステップ２：ＭＴＣ−ＩＷＦが受信した通知メッセージをＴｓｐインタフェースを介してＳＣＳへ転送する
ステップ３：ＳＣＳは、ルート識別子を使用してＭ２Ｍデバイスデータベースを決定し、受信した外部識別子プロビジョニング通知メッセージに基づきデバイスの外部識別子を更新する
ステップ４：ＳＣＳは、通知の受領を確認する外部識別子プロビジョニング通知Ａｃｋメッセージで、ＭＴＣ−ＩＷＦを介してＨＳＳに応答する。
【００４６】
”ルート識別子更新手続き”は他の熟考された手続きであり、新たにルート識別子を定義するか、又は、既存のルート識別子の更新を示すかのいずれかを知らせるために、ＨＳＳ及びＳＣＳによって使用される。本実施形態において、当該手続は、ＨＳＳがＳＣＳを更新する場合において以下のステップを含む。
【００４７】
ステップ１：既存のルート識別子が更新されると、ＨＳＳは、ルート識別子更新通知メッセージ（a Root Identifier Update Notification message）を、Ｓ６ｍインタフェースを介してＭＴＣ−ＩＷＦへ送信する。当該通知メッセージは、既存のルート識別子（任意で）と、新たなルート識別子とを含む
ステップ２：ＭＴＣ−ＩＷＦが受信した通知メッセージをＴｓｐインタフェースを介してＳＣＳへ転送する
ステップ３：ＳＣＳは、受信したルート識別子を使用してＭ２Ｍデバイスデータベースを決定し、受信した新たなルート識別子に基づきＭ２Ｍサブスクリプションを更新する
ステップ４：ＳＣＳは、通知の受領を確認するルート識別子更新通知Ａｃｋメッセージで、ＭＴＣ−ＩＷＦを介してＨＳＳに応答する。
【００４８】
一方、ＳＣＳがＨＳＳを更新する場合のステップを以下に示す。
【００４９】
ステップ１：既存のルート識別子が更新されると、ＳＣＳは、ルート識別子更新通知メッセージ（a Root Identifier Update Notification message）を、Ｔｓｐインタフェースを介してＭＴＣ−ＩＷＦへ送信する。当該通知メッセージは、既存のルート識別子（任意で）と、新たなルート識別子とを含む
ステップ２：ＭＴＣ−ＩＷＦが受信した通知メッセージをＳ６ｍインタフェースを介してＨＳＳへ転送する
ステップ３：ＨＳＳは、受信したルート識別子を使用してＵＥデータベースを決定し、受信した新たなルート識別子に基づき３ＧＰＰサブスクリプションを更新する
ステップ４：ＨＳＳは、通知の受領を確認するルート識別子更新通知Ａｃｋメッセージで、ＭＴＣ−ＩＷＦを介してＳＣＳに応答する。
【００５０】
他の熟考した手続きとしては、”デバイスの起動／停止に基づく外部識別子プロビジョニング”である。リリース１１に特定されるように、外部識別子の所有者は、３ＧＰＰオペレータであってもよく、Ｍ２Ｍプロバイダであってもよく、それらの何れかがデバイスの起動／停止手続を実行してもよい。
【００５１】
プロビジョニング手続き及び管理手続きの所定の態様を、ＭＴＣブートストラッピングサーバがネットワークドメインに配置されるか、又はマシンドメインに配置されるかに従って以下に示す。図２は、ＭＴＣブートストラッピングサーバがマシンドメインにある場合のＭ２Ｍ”サブスクリプション起動”手続の一例を示す。図２においては、関与するエンティティ間の信号フローによってＭ２Ｍサブスクリプション起動方法が示されることが理解されるであろうし、そのようなエンティティは、それらの所定のエンティティのうち、特別に適合され、そうでない場合は、ここでの開示に従って構成される場合を除いて、図１のエンティティと同様の名称のものは、同一又は同様のエンティティであると理解されてよい。
【００５２】
従って、ＵＥ６０は、当該ＵＥ６０と関連する１つ以上のマシン型デバイスを有するように理解されるであろう。図２はまた、ＨＳＳ６２、ＭＴＣ−ＩＷＦ６４、ＭＴＣサーバ若しくはＳＣＳ６６、及びＭＴＣブートストラッピングサーバ６８を示す。信号フローに関して、ＭＭＥ７０及びＧＧＳＮ／ＰＧＷ７２が示されるが、ＨＳＳ６２、ＭＴＣサーバ６６、及びＭＴＣブートストラッピングサーバ６８が単一で又は組合せで、以下に提示する様々な実施形態に従って特別に適合される。
【００５３】
図２に示す”サブスクリプション起動”手続きは、ＵＥ６０に関連するマシン型デバイス１６がＭ２Ｍサブスクリプション起動を実行せず、そのＭ２Ｍサブスクリプションを起動したい場合に適用する。当該起動手続き以下のステップを含む。
【００５４】
ステップ１：そのサブスクリプションがまだ起動していないマシン型デバイス１６に関連するＵＥ６０が２３．０６０又は２３．４０１に特定されるような３ＧＰＰ接続を実行する。ＵＥ６０は、アクセス認証手続き中に、自身のルート識別子を、設定されていれば、３ＧＰＰネットワークへ提供する
ステップ２：ＰＤＰコンテキスト又はＰＤＮ接続が設定される
ステップ３：マシン型デバイス１６がＭＴＣブートストラッピングサーバ６８とサービスブートストラッピング手続きを実行する。Ｍ２Ｍブートストラッピングリクエストにおいて、マシン型デバイス１６は、Ｍ２Ｍサブスクリプション起動のリクエストを示す。Ｍ２Ｍブートストラッピング手続きにおける詳細は、既知であるため、ここではさらに詳細な説明は記載しない。ＵＥ６０は、そのルート識別子を、設定されていれば、Ｍ２Ｍサブスクリプション起動に対するリクエストの送信においてＭ２Ｍサービスプロバイダへ提供すべきである。なお、ＭＴＣブートストラッピングサーバ６８は、Ｍ２ＭサービスプロバイダのＭＴＣサーバ６６と同じ位置に設置されるか、又は、機能的に統合されてもよい
ステップ４：Ｍ２Ｍサブスクリプション起動が受け付けられると、外部識別子のグループがＭＴＣサーバ６６によって生成される
ステップ５：ＭＴＣサーバ６６は、ブートストラッピングの受領を確認するために、マシン型デバイス１６へ応答する。選択的に、外部識別子は、応答メッセージにおいて、マシン型デバイス１６へ提供されてもよい
ステップ６：Ｍ２Ｍサービスプロバイダは、ここで特定される”ＳＣＳトリガ外部識別子プロビジョニング手続き”を用いることによってＨＳＳ６２に格納されるＵＥ３ＧＰＰサブスクリプションを更新する。
【００５５】
図３は、図２と同様のシステム設定であり、Ｍ２Ｍブートストラッピングサーバ６８とのインタフェースがＭ２Ｍサービスプロバイダによって”所有”される。図３は、図２がサブスクリプション起動を示した一方で、熟考した”Ｍ２Ｍサブスクリプション停止”手続きの一実施形態を示す。従って、図３の方法は、ＵＥ６０に関連するマシン型デバイス１６がＭ２Ｍサービスプロバイダと確立した起動Ｍ２Ｍサブスクリプションを有する場合に適用される。
【００５６】
ステップ１：ＵＥ６０は、２３．０６０又は２３．４０１に特定される３ＧＰＰ接続を実行する
ステップ２：ＰＤＰコンテキスト又はＰＤＮ接続が設定される
ステップ３：ＵＥ６０によってホストされるか、そうでない場合はＵＥ６０を通じて接続されるマシン型デバイス１６は、Ｍ２Ｍサービスプロバイダとサービスブートストラッピング手続きを実行する。ブートストラッピングリクエストにおいて、マシン型デバイス１６は、そのＭ２Ｍサブスクリプションを停止するリクエストを指示する
ステップ４：サブスクリプションの停止リクエストを受け付けると、対応する外部識別子がＭ２Ｍサービスプロバイダによって取り除かれる
ステップ５：Ｍ２Ｍサービスプロバイダは、停止リクエストが受領されたことを確認するためにマシン型デバイス１６へ応答する
ステップ６：Ｍ２Ｍサービスプロバイダはまた、図３のサブステップ６．１−６．７に例示される”ＳＣＳトリガ外部識別子プロビジョニング手続き”を用いることによってＨＳＳ６２において格納されるＵＥサブスクリプションを更新する。
【００５７】
図４は、図２及び図３と同様のシステム設定であり、ここで詳細に説明する”サブスクリプション変更”の方法の一実施形態について図示する。図示した方法及び手続は、ＵＥ６０のマシン型デバイス１６が起動Ｍ２Ｍサブスクリプションを有するものの、当該サブスクリプションを変更したい場合に適用される。
【００５８】
ステップ１：ＵＥ６０は、２３．０６０又は２３．４０１に特定される３ＧＰＰ接続を実行する
ステップ２：ＰＤＰコンテキスト又はＰＤＮ接続が設定される
ステップ３：マシン型デバイス１６は、Ｍ２Ｍサービスプロバイダとサービスブートストラッピング手続きを実行する。ブートストラッピングリクエストにおいて、マシン型デバイス１６は、そのサブスクリプションを変更するリクエストを指示する
ステップ４：サブスクリプションの変更リクエストを受け付けると、対応する外部識別子がＭ２Ｍサービスプロバイダによって更新される
ステップ５：Ｍ２Ｍサービスプロバイダは、サブスクリプション変更リクエストが受領されたことを確認するためにマシン型デバイス１６へ応答する
ステップ６：Ｍ２Ｍサービスプロバイダは、ここで説明する”ＳＣＳトリガ外部識別子プロビジョニング手続き”を用いることによってＨＳＳ６２において格納されるＵＥサブスクリプションを更新する。
【００５９】
図５は、図２に示す構成から、通信ネットワークオペレータがＭＴＣブートストラッピングサーバ６８とのインタフェースを”所有する”部分が異なる、代替の”サブスクリプション起動”を図示する。言い換えれば、ここで、ＭＴＣブートストラッピングサーバ６８は通信ネットワークオペレータのドメイン内に位置し、一方で、図２乃至図４に示す手続きではマシンドメイン内に位置している。この点を考慮して、図５のサブスクリプション起動手続きは、以下の例示のステップを含む。
【００６０】
ステップ１：ＵＥ６０は、２３．０６０又は２３．４０１に特定される３ＧＰＰ移動手続き（例えば、接続）を実行する
ステップ２：接続の実行中、ＵＥ６０は、ルート識別子が既にＵＥ６０に対して設定されていれば、ＭＩＭＥ７０を介してＨＳＳ６２へルート識別子を提供することによってサブスクリプション起動リクエストを指示する。
【００６１】
ステップ３：ＨＳＳ６２は、ＨＳＳ６２と連結されたＭＴＣブートストラッピングサーバ６８へ、受信したサブスクリプション起動リクエストを転送する
ステップ４：サブスクリプションの起動リクエストを受け付けると、受信したルート識別子に基づき、外部識別子のグループがＭＴＣブートストラッピングサーバ６８によって生成される
ステップ５：ＭＴＣブートストラッピングサーバ６８は、生成した外部識別子とともに、ＨＳＳ６２へ応答する
ステップ６：ＨＳＳ６２は、受信した外部識別子で対応するＵＥサブスクリプションを更新する
ステップ７：ＨＳＳ６２は、サブスクリプション起動が受け入れられたことを確認するためにＵＥ６０に応答し、例えば、ＵＥ６０によってホストされるか又はＵＥ６０を通じて接続される、関与したマシン型デバイス１６と通信を行う。選択的に、外部識別子は、応答メッセージにおいてＵＥ６０へ提供されうる
ステップ８：ＨＳＳ６２は、ここで説明される”外部識別子プロビジョニング通知手続き”を用いることによって新たに生成した外部識別子をＭ２Ｍサービスプロバイダに通知する。本実施形態において、Ｍ２Ｍサービスプロバイダは、ＭＴＣサーバ６６と、１つ以上のサービスプロバイダ（ＳＰ）ノード、例えば、アプリケーションサーバノードとを含むように示される。
【００６２】
図６は、図５と同様のシステム設定であり、即ち、ＭＴＣブートストラッピングサーバ６８がＭ２Ｍサービスプロバイダのマシンドメインではなく、通信ネットワークオペレータのドメインに位置する。しかしながら、図６は、”サブスクリプション停止”方法又は手続きを提示する。熟考した手続きには以下のステップを含む。
【００６３】
ステップ１：ＵＥ６０に関連するマシン型デバイス１６が起動Ｍ２Ｍサブスクリプションを有し、停止することを望む。従って、ＵＥ６０は、２３．０６０又は２３．４０１に特定される３ＧＰＰ移動手続き（例えば、接続）を実行する
ステップ２：接続の実行中、ＵＥ６０は、ルート識別子を提供することによって、サブスクリプション停止リクエストを指示する。
【００６４】
ステップ３：ＨＳＳ６２は、ＭＴＣブートストラッピングサーバ６８へ、受信したサブスクリプション停止リクエストを転送する
ステップ４：受信したルート識別子に基づき、ＭＴＣブートストラッピングサーバ６８はリクエストを受け入れるか又は拒絶する
ステップ５：ＭＴＣブートストラッピングサーバ６８は、ルート識別子とサブスクリプション停止決定とともに、ＨＳＳ６２へ応答する
ステップ６：ＨＳＳ６２は、受信したサブスクリプション停止決定に基づき、ＵＥ６０に対応するＵＥサブスクリプションを更新する
ステップ７：ＨＳＳ６２は、サブスクリプション停止の受け入れ又は拒絶を確認するためにＵＥ６０に応答する
ステップ８：サブスクリプション停止が受け入れられると、ＨＳＳ６２は、ここで説明する”外部識別子プロビジョニング通知手続き”を用いることによって更新した外部識別子をＭ２Ｍサービスプロバイダに通知する。
【００６５】
図７は、図５及び図６と同様のシステム設定であるが、”サブスクリプション変更”方法又は手続きの一実施形態を図示する。従って、ＵＥ６０に関連するマシン型デバイス１６は、変更が望まれる起動Ｍ２Ｍサブスクリプションを有し、以下のステップが実行される。
【００６６】
ステップ１：ＵＥ６０は、２３．０６０又は２３．４０１に特定される３ＧＰＰ移動手続き（例えば、接続）を実行する
ステップ２：接続の実行中、ＵＥ６０は、ルート識別子を提供することによって、サブスクリプション変更リクエストを指示する。
【００６７】
ステップ３：ＨＳＳ６２は、ＭＴＣブートストラッピングサーバ６８へ、受信したサブスクリプション変更リクエストを転送する
ステップ４：受信したルート識別子に基づき、ＭＴＣブートストラッピングサーバ６８はリクエストを受け入れるか又は拒絶する
ステップ５：ＭＴＣブートストラッピングサーバ６８は、ルート識別子とサブスクリプション変更決定とともに、ＨＳＳ６２へ応答する
ステップ６：ＨＳＳ６２は、受信したサブスクリプション変更決定に基づき、ＵＥサブスクリプションを更新する
ステップ７：ＨＳＳ６２は、サブスクリプション変更リクエストの受け入れ又は拒絶を確認するためにＵＥ６０に応答し、例えば、Ｍ２Ｍサブスクリプション変更がリクエストされたことについて、関与するマシン型デバイス１６へ当該情報が戻される。
【００６８】
ステップ８：サブスクリプション変更が受け入れられると、ＨＳＳ６２は、ここで説明する”外部識別子プロビジョニング通知手続き”を用いることによって更新した外部識別子をＭ２Ｍサービスプロバイダに通知する。
【００６９】
図８は、上述したＵＥ６０の構成例を示し、当業者であれば、所定のＵＥに対して採用された特定の実装が意図した使用及び機能に依存することを理解するであろう。一実施例において、ＵＥ６０は、処理制御回路８０と、追加処理回路８２、例えばマシン型デバイス１６をホストするため／実行するための回路と、プログラムデータメモリ又は記憶装置８４と、送信回路８６と、受信回路８８と、アンテナインタフェース９０と、１つ以上の受信／送信アンテナ９２とを備える。
【００７０】
処理制御回路８０は、以下では単に処理回路８０と称し、ベースバンドプロセッサ又は他のデジタル信号プロセッサ（ＤＳＰ）の全体又は一部に実装されうる受信（ＲＸ）及び送信（ＴＸ）処理回路を備える。なお、追加処理回路６４、例えば、ＣＰＵ又は他の処理回路は、ＵＥ６０によってサポートされるマシン型デバイス１６を表すＭＴＣアプリケーションを含む、所定のアプリケーションを実行するように構成されてもよい。それに応じて、本実施形態に係るプログラムデータメモリ又は記憶装置８４は、ルート識別子と、ＵＥ６０によって実現されるか又はＵＥ６０を通じて実現されるマシン型デバイス１６を表す１つ以上の関連する外部識別子とを格納する。なお、ルート識別子は、ＵＥ６０において提供されてもよく、ＵＥ６０内のセキュアメモリデバイス又はエレメントに保持されてもよく、さらに、ＭＴＣサービスサブスクリプション又はＵＥ６０に関連付けられたマシン型デバイス１６に対する関連サービスを起動、停止、そうでない場合は変更する、任意のＨＳＳ６２、ＭＴＣサーバ６６、又はＭＴＣブートストラッピングサーバ６８からＵＥ６０へ送信される信号に基づき、外部識別子が変更されてもよく、又は更新されてもよい。
【００７１】
図９は、上述したＨＳＳ６２の構成例を示す。しかしながら、当該ブロック図は、説明を容易にするため簡略化して記載されていることが理解されるべきであり、本開示に限定することを意図するものではない。
【００７２】
例示のＨＳＳ６２は、１つ以上の通信インタフェース１００、例えば、ＭＴＣ  ＩＷＦ６４と通信するためのインタフェースと、１以上の実施形態において、ここで説明される手続を実行するように構成されるＣＰＵ及びコンピュータ／デジタル処理回路１０４を含む処理制御回路１０２とを備える。処理制御回路１０２は、以下では単に処理回路１０２と称し、それらに関連する１つ以上の外部識別子とともに、ＵＥ  ＩＭＳＩ及び対応するルート識別子間の関連を含む、ユーザサブスクリプションを格納するために用いられるプログラムデータメモリ又は記憶装置１０６を含むか、又は、関連付けられる。
【００７３】
全般的には、例示のＨＳＳ６２は、定義された通信プロトコルをサポートする特定の通信インタフェースを有し、ユーザサブスクリプションに対するセキュアストレージ／アクセスを有するコンピュータシステムを備えることが理解されるであろう。本開示において、ＨＳＳの処理回路は、上述したように、所定のＵＥ６０に関連するマシン型デバイス１６に対する外部識別子の自動的なプロビジョニング（提供）をサポートする、所定の処理及びシグナリングを実行するように構成される。しかしながら、本実施形態に係るＨＳＳ６２は、本開示に従って、ルート識別子と、ユーザサブスクリプションの関連外部識別子とを格納し、そのようなプロビジョニングを自動的にサポートする、ユーザサブスクリプションにおける永続的な記憶装置を含むか、又はアクセスすることができるであろう。
【００７４】
例えば、ＨＳＳ６２は、ルート識別子を３ＧＰＰネットワークのユーザサブスクリプションにリンク付けるステップを含む方法を実行するように構成され、ユーザサブスクリプションは３ＧＰＰネットワークへ接続するＵＥ６０を認証するために使用され、ＵＥ６０は国際移動体加入者識別番号（ＩＭＳＩ）によって３ＧＰＰネットワークにおいて識別される。本方法は、さらに、ＨＳＳ６２がメッセージ、例えば、ルート識別子と外部識別子又は外部識別子の生成リクエストとを含む、サブスクリプションの起動、更新又は変更メッセージを受信するステップを含む。外部識別子は、ＵＥ６０を介して３ＧＰＰネットワークを通じてＭＴＣサーバ６６と通信を行うように構成されたＭＴＣ型デバイス１６を識別するためにＭＴＣサーバ６６によって使用される。
【００７５】
本方法は、さらに、ＨＳＳ６２がルート識別子からリンク付けられたユーザサブスクリプションを識別するステップと、外部識別子とともにユーザサブスクリプションを提供するステップとを含む。さらに、本方法は、ＨＳＳ６２が、その後に、トリガ通信に含まれている外部識別子によって識別されるＭＴＣ型デバイス１６に対するトリガ通信を受信するステップと、外部識別子からＵＥ６０のユーザサブスクリプションを決定したことに基づき、ＵＥ６０のＩＭＳＩを識別するステップとを含む。そして、本方法は、ＩＭＳＩを用いてＵＥ６０へ向けてトリガ通信を開始するステップを含む。そのため、ルート識別子が、ＭＴＣ、又は、それらのルート識別子へ３ＧＰＰネットワークにおいてリンク付されたＵＥ６０のユーザサブスクリプションの他の外部識別子の自動的な提供（及び、更新）を許容するように見えるであろう。
【００７６】
図１０は、本開示に従って特別に適合されるＭＴＣサーバ６６の構成例を示す。当該ブロック図は、説明を容易にするため簡略化して記載されていることが理解されるべきであり、本開示に限定することを意図するものではない。
【００７７】
当業者によって理解されるように、例示のＭＴＣサーバ６６は、３ＧＰＰネットワークへ接続されるＵＥ６０に実装される又は結合されるマシン型デバイス１６に対するＭ２Ｍサービスをサポートすべく、３ＧＰＰネットワーク（例えば、ＭＴＣ−ＩＷＦ６４を通じて）と通信するために定義された通信プロトコルをサポートする特定の通信インタフェース１１０を有するコンピュータシステムを備える。さらに、上述した実施形態によれば、いくつかの実施形態においてＭＴＣサーバ６６がＭＴＣブートストラッピングサーバ６８と通信するように構成され、例えば、マシン型デバイス１６に対する外部識別子を取得するように構成され、及び／又は、当該デバイス１６に対するＭＴＣサービスサブスクリプションを起動、停止、そうでない場合は変更するように構成される。
【００７８】
従って、本実施形態において、ＭＴＣサーバ６６は、処理制御回路１１２を備える。以下では、処理制御回路１１２を単に処理回路１１２と称する。当該回路は、上述したように、所定のＵＥ６０に関連するマシン型デバイス１６に対する外部識別子の自動的な提供をサポートする場合の所定の処理及びシグナリングを実行するように構成される。処理回路１１２は、ＭＴＣサーバ６６に対してここで説明した手続きを実行するように構成されるＣＰＵ及び／又は他のデジタル処理回路１１４を含み、さらに、プログラムデータメモリ又は記憶装置１１６を含むか又は関連付けられる。
【００７９】
特に、開示した発明の変形例及び他の実施形態が、上述した説明及び関連する図面からの教示の利益から、当業者によって想起されるであろう。従って、本発明が開示された特定の実施形態に限定されず、当該変形例及び他の実施形態が本開示の範囲内に含まれることを意図することが理解されるであろう。特定の用語が本明細書で使用されるが、それらは一般的にかつ記述的な意味でのみ使用されたものであって、限定を目的とするものではない。
【図１】
0005946968.tif 000002
【図２】
0005946968.tif 000003
【図３】
0005946968.tif 000004
【図４】
0005946968.tif 000005
【図５】
0005946968.tif 000006
【図６】
0005946968.tif 000007
【図７】
0005946968.tif 000008
【図８】
0005946968.tif 000009
【図９】
0005946968.tif 000010
【図１０】
0005946968.tif 000011